(57)【要約】【目的】印刷回路板に対するデバイスの接続を円滑かつ低衝撃で行なうことができる印刷回路板実装デバイスを提供する。【構成】デバイスは、ハウジング１４と複数の接点１２とを備えている。各接点のパッド係合接点部１２ａが各パッド８に係合する領域と接点の撓みの中心となる支点１３の領域との間の距離を最大にして、撓みにより生ずるバイアス力を低下させるようにしている。デバイスには更に、ポスト５６からなるデバイス取着素子が配設されており、ポストは、該ポストを回路板の開口即ちホール９に挿入することができるように撓まされかつポストが開口から抜出るのを防止するように開口の側部に食込む舌部を有している。更にデバイスは、横断面が多角形の一対の位置決めポスト１０２、１０４を備えることができる。位置決めポストは、互いに直交する方向に最大横断面寸法を有するように形成されている。【選択図】      図１
2006059821.tif 000002
【特許請求の範囲】
【請求項１】
印刷回路板に表面実装されるデバイスにおいて、
絶縁材料から形成されたハウジングと、
導電材料から形成され、印刷回路板の各端子パッドと電気的に係合されるパッド係合接点部と、連係接点部と、前記パッド係合接点部が接続される第１の脚および前記連係接点部が接続される前端部をもつ第２の脚を有する略Ｌ字状の中間接点部とをそれぞれが具備した、複数の接点とを備え、
前記ハウジングは、前記パッド係合接点部が印刷回路板の端子パッドと係合されると前記略Ｌ字状中間接点部の前記第２の脚に配置された支点に対して前記各接点の撓みを許容する手段を備え、前記ハウジングは前記接点の前記第２の脚を支持する支持面を有する第１の壁を備えるとともに、前記支点の前方にある前記各接点の前記第２の脚の前部を各支持面に固定する手段を備え、前記支点の後方の前記各接点の前記第２の脚の後部は各支持面から分離自在となっていることを特徴とする印刷回路板表面実装デバイス。
【請求項２】
前記支点よりも前方にある前記各接点の前記第２の脚の前部を各支持面に固定する前記手段は、前記各接点の前記第２の脚の前記前部を覆う面を有する前記ハウジングの第２の壁からなり、前記各接点の前記第２の脚の前記前部は前記ハウジングの第１の壁の前記支持面と前記ハウジングの第２の壁の前記面との間にクランプされることを特徴とする請求項１に記載のデバイス。
【請求項３】
前記ハウジングは外側ハウジング部と該外側ハウジング部に収容される内側ハウジング部とを備え、前記内側ハウジング部は前記各接点の前記第２の脚が延びる頂壁を有し、前記第２の外側ハウジング部は前記各接点の前記第２の脚が延びる前記内側ハウジング部の前記頂壁を覆う頂壁を有することを特徴とする請求項１に記載のデバイス。
【請求項４】
前記内側ハウジング部は複数の孔が貫通して形成されている部分を有し、前記各孔は前記各接点の前記第１の脚を収容し、前記接点の前記第１および第２の脚は前記ハウジング内に収容されていることを特徴とする請求項３に記載のデバイス。
【請求項５】
前記内側ハウジング部の前記頂壁には内部に複数のガイドチャンネルが形成されており、前記各ガイドチャンネルは前記各接点の第２の脚を収容することを特徴とする請求項４に記載のデバイス。
【発明の詳細な説明】
【技術分野】
【０００１】
本発明は、印刷回路板への表面実装(surface mounting)用電気デバイスおよびその実装素子の改良に関する。
【背景技術】
【０００２】
印刷回路板の表面に実装されるようになっている電気デバイスは、従来公知である。かかる電気デバイスが表面実装される回路板には、印刷回路の一部を形成する端子パッドまたは領域が配設されており、デバイスには、端子パッドに整合載置されるように形成されかつ配置されたパッド係合部を有する接点またはリードが設けられている。一般に、パッドにはんだペースト組成物がコーティングされ、パッド係合接点部分が適宜の端子パッドと係合配置されてから、はんだ組成物はリフローされ、各接点部と端子パッドとを確実に電気的に係合させる。コネクタデバイスもまた、取着ポストを回路板に形成された開口に挿入して、かかりを付けた(barbed)あるいはフックを形成した端部を回路板の下面と係止させることにより、回路板に機械的に接続されている。
【発明の開示】
【発明が解決しようとする課題】
【０００３】
回路板の端子パッドは共面をなしているので、１つ以上の接点を撓ませて他の接点部を端子パッドと係合させることを必要とせずに全ての接点部を端子パッドと電気的に係合して配置することができるように、表面実装デバイスもまた正確に共面をなしていると有利である。しかしながら、実際には、全ての接点部を対応する端子パッドと電気的に係合させるように接点の１つ以上をある程度撓ませなければならないので、これを製造ベースで行なうことが不可能である。表面実装デバイスを印刷回路板に組立てる場合に接点の１つ以上を撓ませることは不可避であるので、バイアス力(biasing force)がアセンブリに発生し、デバイスを回路板から分離するとともに、はんだ付けされた電気接続部の一体性を損なわせるような傾向を生ずる。
【０００４】
更にまた、デバイスを印刷回路板に機械的に取着するのに使用されている従来の取着ポストにも問題がある。即ち、表面実装の場合には、回路板実装デバイスの取着ポストのフック端部が回路板の下面に係合止着するときに、衝撃により表面実装はんだ処理の前のはんだペーストに置かれている数百の小さい素子がパッドから動いてしまう(jar)ことになる。表面実装およびピン実装のいずれの場合にも、取着ポストを、印刷回路板の開口の直径と対応する適宜の直径および回路板の厚みに対応する長さを有するように、特定したサイズに形成しなければならない。
【０００５】
従って、本発明の目的は、回路板に表面実装するための新規かつ改良された電気デバイスを提供することにある。
【０００６】
本発明の別の目的は、表面実装の際のリードまたは接点の１つ以上の撓みにより生ずるバイアス力を最小にすることができる回路板への表面実装用の新規かつ改良された電気デバイスを提供することにある。
【０００７】
本発明の別の目的は、回路板実装デバイスの新規かつ改良された実装素子を提供することにある。
【０００８】
本発明の更に別の目的は、回路板に対するデバイスの接続を円滑かつ低衝撃で行なうことができるとともに、所定の範囲の厚みとホールのサイズとを有する印刷回路板に対してデバイスを確実に保持することができる回路板実装デバイスの新規かつ改良された実装素子を提供することにある。
【課題を解決するための手段】
【０００９】
本発明によれば、印刷回路板表面実装デバイスが提供されている。このデバイスは、絶縁材料から形成されたハウジングと、導電材料から形成され、印刷回路板の各端子パッドと電気的に係合されるパッド係合接点部と、連係接点部と、前記パッド係合接点部が接続される第１の脚および前記連係接点部が接続される前端部をもつ第２の脚を有する略Ｌ字状の中間接点部とをそれぞれが具備した複数の接点とを備え、前記ハウジングは、前記パッド係合接点部が印刷回路板の端子パッドと係合されると前記略Ｌ字状中間接点部の前記第２の脚に配置された支点に対して前記各接点を撓ませる手段を備えることを特徴とする構成に係る。
【発明の効果】
【００１０】
上記構成の本発明の印刷回路板実装デバイスにおいては、各接点のパッド係合接点部が各パッドと係合する領域と接点の撓みの中心となる支点の領域との間の距離が最大にされることにより、撓みにより生ずるバイアス力を小さくすることができる。従来技術のように、パッド係合接点部と接点の曲げ点との間の距離が短いと、接点の撓みの程度が同じであっても、一層大きなバイアス力が生ずるので、接点の曲げ点即ち支点がパッド係合接点部に著しく接近するため、接点の撓みが小さい場合でも、大きなバイアス力が生じ、デバイスを印刷回路板から分離する傾向が生ずる。
【００１１】
更に、本発明によれば、上記した目的は、ポストを印刷回路板の開口に挿入することができるように撓みかつポストが開口から抜出るのを防止するように開口の側部に食込む舌部が側部から延びているポストをデバイスから吊下して配設して、回路板実装デバイスの取着素子とすることにより達成される。好ましい形態においては、取着素子は、弾性金属材料から形成されるクリップが挿入されて固着される貫通スロットを有するポストからなる。クリップは、端部が、ポストの輪郭を越えて、回路板の開口へのポストの挿入の方向から上方へ離れて突出するように形成されている。クリップの端部は、ポストが印刷回路板の開口即ちホールに挿入されると内方へ撓み、ホールの側部に食込んでしっかりと保持を行なう。かかる構成とすることにより、所定の長さと直径を有するポストは、デバイスを種々の厚みとホールサイズとを有する印刷回路板に、回路板に配置された他の電気的デバイスを押しやることなく円滑かつ低衝撃で有効に接続することができる。
【発明を実施するための最良の形態】
【００１２】
図面においては、同一または対応する部材は同一の参照番号で示されている。先づ、図１乃至図６について説明すると、モジュールタイプのプラグコネクタに結合されるようになっているジャック(jack)コネクタ１０の形態をなす、本発明に係るデバイスの実施例が示されている。ジャックコネクタ１０は、複数の導電性接点１２（１つだけが図示）と、プラスチックのような絶縁材料から形成されかつ第１の内側ハウジング部１６および第２の外側ハウジング部１８を備えるハウジング１４とから構成されている。コネクタ１０は、印刷回路板のホールに挿入される接点ピンにより印刷回路板に接続されるようになっている米国特許第４，８７５，８６３号に開示されているものと、幾つかの点で類似している。この米国特許を引用して、本明細書におけるこの米国特許の説明に代える。
【００１３】
図１は、回路板へのコネクタの実装に備えて回路板４の実装面２の上方に配置されたコネクタ１０が示されている。回路板４の実装面２は、端子パッド８に延びる回路板導体６を有している。コネクタ１０のハウジング１４は、回路板に形成されたホール９（１つだけが図示）に収容された一体的な取着ポスト５６（１つだけが図示）を有している。取着ポスト５６は、図示のように、通常のものであり、ポストに形成されたスロット５６ｂにより回路板４の下面と係合するかかりを付けたあるいはフックを形成した端部５６ａを備えている。接点１２のパッド係合接点部１２ａがコネクタのハウジング１４から延びており、整合された端子パッド８にはんだ付けにより接続されている。コネクタは、パッド係合接点部１２ａが端子パッド８に対して配置された状態で取着ポスト５６がホール９に入るようにコネクタを図１に示す位置から下方へ動かすことにより、回路板に組立てられる。端子パッド８にははんだペースト組成物が被覆されており、該はんだペースト組成物はリフローされてパッド係合接点部１２ａと端子パッド８とを結合させる。
【００１４】
表面実装の際には、パッド係合接点部１２ａの１つ以上がそれぞれの端子パッド８に対して押圧され、全てのパッド係合接点部１２ａがそれぞれの端子パッド８と係合するまで各接点をある程度まで撓ませあるいは曲げる。即ち、組立ての際に端子パッド８と先づ係合されるべきパッド係合接点部１２ａを有する接点が、他の接点よりも大きく曲げられあるいは撓むことになる。本発明の目的は、接点のかかる撓みにより生ずるバイアス力を小さくすることによりコネクタが回路板から分離しようとするのを最少にするとともに、電気的接続の一体性を高めることにある。
【００１５】
図１に明瞭に示すように、各接点１２は、燐青銅のような適宜の導電材料から形成され、パッド係合接点部１２ａと、プラグの対応する接点と連係する連係接点部１２ｂと、第１の脚１２ｃ１および第２の脚１２ｃ２を有する略Ｌ字状中間接点部１２ｃとを備えている。パッド係合接点部１２ａは、中間の略Ｌ字状中間接点部１２ｃの第１の脚１２ｃ１の端部から延び、連係接点部１２ｂは略Ｌ字状中間接点部１２ｃの第２の脚１２ｃ２の端部から延びている。本発明によれば、コネクタは、接点１２のパッド係合接点部１２ａが実装の際に接点１２を撓ませるように端子パッド８と係合する場合には、パッド係合接点部１２ａから実質的な距離隔離している中間接点部１２ｃの第２の脚１２ｃ２に配設された支点即ち曲げ点１３を中心に接点１２を撓ませることにより、コネクタと印刷回路板との間で生ずるバイアス力を最小にするように構成されている。
【００１６】
図示の実施例のコネクタは、６つの接点１２を有しており、そのうちの３つは該３つの接点と互い違いとなっている他の３つの接点よりも長い第２の脚１２ｃ２を有することにより、当業者であれば理解することができるように電気的接続の密度を一層高いものにしている。その他の点においては、各接点１２は同じ態様で構成されている。
【００１７】
上記したように、コネクタハウジング１４は、２つの部分、即ち、第１の内側ハウジング部１６と第２の外側ハウジング部１８とから形成されている。第１の内側ハウジング部１６は、外側ハウジング部１８に挿入され、接点１２を内側ハウジング部１６と予め組立ててから外側ハウジング部に嵌着されて、接点１２を双方のハウジング部間に保持し、かくして、接点は、（パッド係合部１２ａを除いて）ハウジング内に完全に収容され、連係するプラグコネクタの対応する接点と係合するように正確に配置されている。
【００１８】
図３および図４について説明すると、内側ハウジング部１６は、適宜のプラスチック材料から形成され、後部２６と、該後部２６の上端から片持ちばりのように延びるガイド部２８とを有する略Ｌ字形状部を有している。後部２６は、図４に明瞭に示すように、底面２９を有し、該底面には一対の端部壁３１が吊下している。後部２６とガイド部２８は、共通の頂面３０を有している。複数の実質上垂直にかつ平行して延びる孔３２が後部２６を貫通して形成されており、孔３２の数は、接点１２の数と対応している。各孔３２は、後部２６の高さ方向全体に亘って延び、頂面３０とくぼみが形成された底面２９に開口しているとともに、図４に明瞭に示すように下方向の先細りの横断面を有している。孔の底端部３２ａは、コネクタが実装されるべき印刷回路板の端子パッドのパターンと対応するパターンを形成している。
【００１９】
複数の実質上平行なガイドスロットまたはチャンネル３６が、ガイド部２８の頂面３０に形成されており、各チャンネル３６は、後端が各孔３２の頂部に開口するとともに、ガイド部２８の前縁２８ａの後方に凹部が形成されている前端部３７で終端している。フィンガ３８が、隣接するガイドチャンネル３６の前端部３７を分離するガイド部２８から前方へ突出している。
【００２０】
各チャンネル３６は、接点１２と略同じ幅を有するとともに、浅い前部３６ａ、より深い後部３６ｂ、深さが徐々に大きくなり浅い前部と深い後部とを相互接続する比較的短い中間部３６ｃを備えている。頂面３０と平行な底壁３９ａにより画定される前方チャンネル部３６ａは、接点１２の高さ即ち肉厚と略同じ寸法を有している。一方、頂面３０と平行をなす底壁３９ｂにより画定される後部チャンネル部３６ｂの深さは、接点の高さ即ち肉厚よりも大きく形成されている。中間チャンネル部３６ｃは、前方チャンネル部３６ａの底壁と後方チャンネル部３６ｂの底壁とを相互接続する下方かつ後方へ延びる底壁３９ｃにより画定されている。
【００２１】
第１の内側ハウジング部１６の第２の外側ハウジング部１８に対する組立てを容易にするとともに、これらハウジング部を相互に固定する手段が第１の内側ハウジング部１６に設けられている。即ち、一対の上部レール４２がガイドレール２８の側部に沿って設けられているとともに、上部レール４２に平行な一対の下部レール４４が後部２６の側部に沿って設けられている。更に、一対の固定突起４６がそれぞれの下部レール４４の上方で後部２６の側部に形成されており、各固定突起４６は、カム面４６ａと、後方を向く垂直な固定面４６ｂとを備えている。
【００２２】
ここで、図２、図５および図６について説明すると、外側ハウジング部１８は、対向して配設された頂部壁５０および底部壁５２と、相互間に内部空間を画定するように対向して配設された側部壁５４とにより形成される略矩形の形状を有する一体成形プラスチック部材から構成されている。それぞれの壁の内面および外面は、図面において、対応する参照番号にそれぞれ添字「ａ」および「ｂ」を付して表示されている。底部壁５２は、ハウジング部１８の後端５５で開口するように形成された矩形の切欠き５３を有している。ポスト５６は、上記したようにコネクタを印刷回路板に接続するように底壁５２から下方へ突出して配設されている。一対のフランジ５８が、所望の場合に、コネクタのシャーシに対する取付けを容易に行なうことができるように側壁５４から側方へ突出するように配設されている。
【００２３】
ハウジング１８の内部は、壁６４により、前方プラグ受け６０と後方空所６２（図６）とに分割され、内側ハウジング部１６の後部を、双方の空所６０と６２との間を延びるガイド部２８とともに収容している。壁６４は、図６に明瞭に示すように、底壁５２から上方へ延びるとともに、後面６６と、前面６８と、前方方向へ上方に角度をなして形成されている頂面７０とを有するように形成されている。壁６４の後面６６とハウジング部１８の後端５５との間の距離は、内側ハウジング部１６の後部２６の長手方向の寸法と事実上等しく形成されている。底壁５２の外面５２ｂと頂壁５０の内面５０ａとの間の距離は、内側ハウジング部１６の高さ寸法と略等しくなっている。複数の長手方向へ延びかつ離隔して配設された仕切り７２からなる櫛状構造体が、壁６４の頂面７０から上方へ突出して形成され、壁６４のそれぞれの側部に配置された一対の最外壁７６とともに対応する数のガイドスロット７４を画定している。コネクタを組立てると、ガイドスロット７４は、内側ハウジング部１６のガイドチャンネル３６の前方縁部と整合される。
【００２４】
当接面８０で終端する一対の長手方向へ延びるショルダ７８が、受け、即ち、空所６０内で内面５４ａおよび側壁５４から内方へ突出するように形成され、従来のモジュラコネクタが受け６０内に挿入されたときに該コネクタと係合するようになっている。更に、一対の離隔したリップ８２が、外側ハウジング部１８の前端部８４の開口において底壁５２から上方へ突出するように配設されている。これらのリップは、従来技術のように、モジュラプラグコネクタの固定タブの固定面を構成している。リップ８６が、ハウジング部１８の前端８４において頂壁５０から下方へ突出して形成されている。
【００２５】
一対の上部チャンネル８８が、頂壁５０の直下の側壁５４の内面５４ａに形成され、内側ハウジング部１６のガイド部２８の上部レール４２を受けるようになっている。上部レール４２は、外側ハウジング部１８の後端５５から外側ハウジング部１８の前端８４のリップ８６の内側まで延びるように形成されている。一対の下部チャンネル９０が、後部ハウジング部の端部５５から分離壁６４の後面５６まで延びるように側壁５４の内面５４ａに形成されている。下部チャンネル９０は、組立てられたときに、内側ハウジング部１６の下部レール４４を受けるようになっている。一対の固定突起９２が側壁５４の内面５４ａに形成されており、各突起９２は、カム面９２ａと、下記するように組立てられたときに固定突起４６の固定面４６ｂと固定係合するようになっている前方を向いた固定面４６ｂとを有している。
【００２６】
コネクタ１０の組立てを、図１および図３乃至図６とともに、図２に関して説明する。接点１２は、先づ、図２に示すような形状に予め形成される。即ち、第１の脚１２ｃ１と第２の脚１２ｃ２とが互いに直角を形成するように曲げられる。第２の脚１２ｃ２は、チャンネル３６の底壁３９ｃと対応するように成形された傾斜中間部ｃと、チャンネル３６の底壁３９ａおよび３９ｂと対応するように成形された前方部ａおよび後方部ｂとを有するように形成されている。連係接点部１２ｂは、第２の脚１２ｃ２と直角をなすように曲げて形成されている。パッド係合接点部１２ａと対応する接点の端部１２ａ１を曲げるに先立ち、各接点の同じ直線上を延びる接点部１２ａ１と１２ｃ１が孔３２に挿入されることにより、パッド係合接点部１２ａに対応する接点１２の端部１２ａ１が後部２６の底面２９の下方へ突出するとともに、接点の第２の脚１２ｃ２が図１に示すように対応するガイドチャンネル３６に収容される。接点１２の第２の脚１２ｃ２が、ガイドチャンネル３６の底壁３９ａ、３９ｂおよび３９ｃにより（孔３２の開口頂部を延びる部分を除き）全長に亘って支持されている。連結する接点部１２ｂに対応する各接点の前方端部は、ガイドチャンネル３６の前方縁部３７を通る。上記したように、ガイドチャンネル３６と接点１２は、ガイドチャンネル３６の浅い部分３６ａの底壁３９ａに載置した接点の第２の脚１２ｃ２の前方部ａの露出した上面が、内側ハウジング部１６の上面３０と実質上面一となるような寸法に形成されている。更に、大きな空間が、ガイドチャンネル３６の深い部分３６ｂの底壁３９ｂに支持されている第２の脚１２ｃ２の後部ｂの上方に形成されている。パッド係合接点部１２ａは、略Ｌ字状中間接点部の第１の脚１２ｃ１に対して図１に示す形状になるまで曲げられる。
【００２７】
内側ハウジング部１６と接点１２とからなるサブアセンブリは、次に、外側ハウジング部１８内の後部空間６２に、図２において矢印Ａで示される方向へ挿入され、上部レール４２と下部レール４４は、上部チャンネル８８と下部チャンネル９０にそれぞれ収容される。サブアセンブリの挿入の際には、連係接点部１２ｂは、仕切り７２相互間に形成されたガイドスロット７４とそれぞれ整合され、面７０と係合することにより、連係接点部１２ｂは、挿入とともに、図１に示す形状に曲げられる。固定突起４６と９２のカム面４６ａおよび９２ａは互いに係合し、これにより固定面４６ｂと９２ｂが係合して、内側ハウジング部と外側ハウジング部とが互いに固定される。挿入が完了すると、各連係接点部１２ｂの端部領域は、ばね力で頂面７０を押圧する。仕切り７２は、接点１２が、操作の際に互いに接触するのを防止するように作用する。
【００２８】
図１に示すように、外側ハウジング部１８の頂壁５０の内面５０ａは、内側ハウジング部１６の頂面３０を押圧する。同時に、外側ハウジング部の頂壁の内面５０ａは、接点１２の第２の脚１２ｃ２の前方部ａの頂面を、その前端部から、傾斜接点部が頂壁５０から下方へ離隔しかつガイドチャンネル３６の底壁３９ｃに沿って延び始めるポイント１３にかけて押圧する。外側ハウジング部１８の頂壁５０の内面５０ａは、図１に明瞭に示すように、第２の脚１２ｃ２の後部ｂの頂面から離隔されている。
【００２９】
かくして、各接点１２の第２の脚１２ｃ２の前部ａは、外側ハウジング部の頂面５０の内面５０ａとガイドチャンネル３６の底壁３９ａとの間にクランプされるようになる。しかしながら、接点の第２の脚１２ｃ２の後方部ｂと傾斜部ｃは、支点即ち曲げ点１３に対して、頂壁５０の内面５０ａとガイドチャンネル３６の底壁部３９ａおよび３９ｂとの間で自由に動くことができるようになっている。更に、図１に示すように、コネクタ１０を印刷回路板４に実装する場合には、コネクタは、外側ハウジング部の底壁５２の外面５２ｂが印刷回路板４の実装面と接するまで下降され、取着ポスト５６は開口９に収容されるとともにパッド係合接点部１２ａが端子パッド８と係合するようになる。パッド係合接点部１２ａが端子パッド８に係合すると、接点１２の１つ以上が、支点即ち曲げ点１３に対して図１に示す点線で示す位置１２１まで撓む。図１から明らかなように、支点１３は、接点に溜るバイアス力が比較的小さいものとなるように、接点１２のパッド係合接点部１２ａから比較的隔離して配設されている。更に、図１に示すように、クリアランスが、接点部１２の第２の脚１２ｃ２と、外側ハウジング部の頂壁の内面５０ａとの間に存在する限りは、接点１２を図示の程度よりも大きく撓ませることができる。
【００３０】
図７について説明すると、本発明に係る表面実装コネクタの別の実施例が示されている。図７に示すコネクタと図１乃至図６に示すコネクタとの主たる相違点は、一列だけの孔３２が内側ハウジング部１６の後部２６を貫通して設けられている構成にある。接点１２の支点即ち曲げ点１３が、パッド係合接点部１２ａから実質上離隔した中間接点部１２ｃの第２の脚１２ｃ２に配置されているという重要な構成に関しては、図１乃至図６に示す実施例と同様である。
【００３１】
図８乃至図１０には、印刷回路板に表面実装されるように構成された本発明のコネクタの第３の実施例が示されている。図８乃至図１０に示すこの第３の実施例のコネクタは、以下に説明する点を除き、図１および図７にそれぞれ示す第１および第２の実施例と同様に構成されている。即ち、本実施例は、接点が撓む中心点である支点をパッド係合接点部から最大距離に位置させるように構成されている点およびコネクタを印刷回路板に取着する構成素子を改良した点が前記した実施例と異なる。
【００３２】
即ち、本実施例のコネクタ１０においては、上記した実施例とは異なり、内側ハウジング部１６の頂面３０に形成されたガイドチャンネル３６は、深さが均一であり、接点１２の肉厚と略同等となるように形成されている。一方、外側ハウジング部１８の頂壁５０の内面５２ａは、接点１２の第２の脚１２ｃ２の前方部に位置するとともに、当接する第１の部分Ｘと、接点の上面から徐々に偏位する第２の、後方かつ上方へ傾斜する傾斜部Ｙと、内壁５０ａの部分Ｘと平行に延びかつ接点１２の上面から離隔して配設された第３の部分Ｚとを有するように形成されている。本実施例のコネクタは、図８に示すように、接点１２の第２の脚１２ｃ２は実質上直線をなすように配設され、図１および図７の実施例の接点のような傾斜したランプ部は備えていない。図８乃至図１１の実施例においては、接点１２の支点即ち曲げ点１３は、外側ハウジング部の頂壁５０の内面１３が接点１２の上面と脱合する位置、即ち、頂壁５０の内面５０ａの傾斜した壁部Ｙと第１の壁部Ｘとの交点に画定されている。上記した各実施例の場合と同様に、接点１２の支点即ち曲げ点１３は、パッド係合接点部１２ａから実質上離隔しているので、接点の１つ以上が印刷回路板の表面に実装されて撓むと、比較的小さいバイアス力だけが発生するようになっている。
【００３３】
本発明についての上記説明から明らかなように、上記した本発明の観点は、上記の特定の実施例に限定されるものではない。例えば、接点は上記した態様でハウジング内に完全に収容されるように構成するのが好ましいが、外側ハウジング部の頂壁が接点の第２の脚に配置されるとともに、第１の脚がハウジングの内部に形成された孔を貫通するように構成するようにすれば、接点の支点即ち曲げ点がパッド係合接点部から実質上離隔した位置において接点の第２の脚に位置している限りは、上記した構成を採用することなく本発明を構成することができるものである。
【００３４】
本発明の別の観点によれば、図８乃至図１０に示すコネクタ１０には、所定のホールのサイズと印刷回路板の肉厚の範囲において、コネクタ１０を印刷回路板に円滑に、低衝撃でかつ大きい保持力をもって接続することができる取着素子７０が設けられている。図８乃至図１０を図１１乃至図１３とともに説明すると、取着素子７０は、コネクタ１０の底壁５２から吊下する略円筒状のモールド成形されたポスト７２を備えるように構成され、コネクタ１０の底壁５２には、ポスト７２の直径方向の両側に開口するスロット７４が貫通して形成されている。スロット７４は、狭い中間部７６と、内向きに先細りの上部壁８０、下部壁８２および側部壁８４によりそれぞれ画定される一対の外側へ拡がる端部７８とを有するように構成されている。取着素子７０は更に、略矩形をなしかつ狭い中間スロット部７６の幅と略等しい肉厚を有し、スロット７４内に配置される薄いシート金属からなるクリップ８６を備えている。図１１に示すように、クリップ８６は、スロット７４の中間部７６に配置される中間部８８と、コネクタ１０のハウジングの底壁５２へ向けて上方へ延びる一対の端部９０とを有するように形成されている。クリップ８６の端部９０は、スロットの端部７８を貫通して延び、ポスト７２の外面を越えて端部９２で終端している。かくして、クリップ８６の上方を向く突出端部９２は、ポスト７２の側部から延びる舌部を形成している。
【００３５】
上記した本発明の印刷回路板実装デバイスの装着においては、ポスト７２が回路板４の開口９（図１１）に挿入されると、クリップの端部９２は、ホール９へのポスト７２の挿入方向から離れて内方および上方へ撓んで、取着素子７０をホール９内へ円滑に収納することができる。一方、素子７０をホール９から取り出そうとする力がコネクタ１０または回路板４に加えられると、クリップの端部９２はホール９を画定する面に食い込み、大きい保持力を提供することができる。
【００３６】
取着素子と印刷回路板との間には衝突または大きい衝撃の係合が生ずることがなく、従って、表面実装はんだ付け操作に先立ってはんだペーストに置かれる他の構成素子はパッドから揺れ動くことがないので、本発明に係る取着素子は表面実装に特に適している。更にまた、本発明にかかる取着素子は、下面と係合することなく、印刷回路板に接続することができるとともに、クリップの端部即ち舌部の撓みの程度により種々のサイズの印刷回路板の開口に適応することができるので、同じ取着素子を使用してデバイスを、種々の肉厚とホールのサイズの回路板に有効に接続することができるので、表面実装およびピン実装の双方に関して著しい重要性を発揮することができる。ポストは円筒形である必要はない。例えば、ポストは横断面を方形とすることができる。クリップの端部は、回路板の開口へポストを挿入する前に、上方へ角度をなして曲げる必要はなく、実質上水平に延ばし、ポストを回路板の開口へ挿入するときにのみ上方へ曲げるようにすることができる。
【００３７】
図９および図１０に示すように、本発明の別の特徴として、コネクタに、回路板の対応する開口と協動してコネクタを回路板に対して正確に位置決めするように形成された一対の位置決めポスト１０２と１０４が設けられている。即ち、各ポスト１０２、１０４は、ダイヤモンド形の輪郭を有し、ポスト１０２のダイヤモンド形は長手方向に沿って細長くなっており、一方、ポスト１０４のダイヤモンド形は横方向に細長くなっている。ポストの長手方向の寸法Ｂとポスト１０４の横方向の寸法Ａは互いに等しく、かつ、ポストが収容される回路板の開口の直径よりもわずかに大きく形成され、それぞれのポストが回路板の開口と締り嵌めを行なうようになっている。ポスト１０２の横方向の寸法とポスト１０４の長手方向の寸法はいずれも、開口の直径よりも小さいので、ポスト１０２と１０４は、印刷回路板に対してコネクタ１０を正確に位置決めする機能を行なう長手方向および横方向の基準を提供する。
【００３８】
当業者であれば、本発明の種々の修正と変更とを上記説明に基づいて行なうことができるのは、容易に理解することができる。従って、特許請求の範囲に記載の発明の範囲内において、本発明は明細書に記載した以外に実施することができるものである。
【００３９】
本発明の印刷回路板実装デバイスは、上記のように構成されているので、デバイス実装の際の接点の撓みにより生ずるバイアス力を最小にすることができるので、回路板に対するデバイスの接続を円滑かつ低衝撃で行なうことができるとともに、所定の範囲の厚みとホールのサイズとを有する印刷回路板に対してデバイスを確実に保持することができる。
【図面の簡単な説明】
【００４０】
【図１】本発明の一の観点に従って構成された、回路板の実装表面から離隔して配置されるコネクタを示す横断面図である。
【図２】図１のコネクタの分解斜視図である。
【図３】図１のコネクタの内側ハウジング部を示す平面図である。
【図４】図３の４−４線断面図である。
【図５】図１のコネクタの外側ハウジング部を示す背面図である。
【図６】図５の６−６線断面図である。
【図７】本発明の一の観点に従って構成されたコネクタの別の実施例を示す、図１と同様の横断面図である。
【図８】本発明の一の観点に従って構成され、本発明の別の観点に係る改良された実装構成素子が設けられているコネクタの更に別の実施例を示す、図１と同様の横断面図である。
【図９】図８のコネクタの底面図である。
【図１０】図８のコネクタの背面図である。
【図１１】本発明に係る印刷回路板の対応するホールに挿入される取着素子アセンブリを示す横断面図である。
【図１２】図１１のアセンブリの取着ポストを示す側面図である。
【図１３】図１２の取着ポストアセンブリの底面図である。
【符号の説明】
【００４１】
２  実装面
４  印刷回路板
６  導体
８  端子パッド
９  ホール即ち開口
１０  コネクタ
１２  導電性接点
１２ａ  パッド係合接点部
１２ｂ  連係接点部
１２ｃ  Ｌ字状中間接点部
１２ｃ１  第１の脚
１２ｃ２  第２の脚
１３  支点即ち曲げ点
１４  ハウジング
１６  内側ハウジング部
１８  外側ハウジング部
２６  後部
２８  ガイド部
３２  孔
３６  ガイドチャンネル
３６ａ  前方チャンネル部
３６ｂ  後方チャンネル部
３６ｃ  中間チャンネル部
３７  前端
３８  フィンガ
３９ａ  底壁
３９ｂ  底壁
３９ｃ  底壁
４２  上部レール
４４  下部レール
５３  切欠き
５４  側壁
５５  後端
５６  取着ポスト
５６ａ  端部
５６ｂ  スロット
５８  フランジ
６０  空所
６２  空所
６４  壁
６６  後面
６８  前面
７０  頂面
７２  仕切り
７４  ガイドスロット
８６  クリップ
８８  中間部
９０  端部
９２  舌部
１０２  位置決めポスト
１０４  位置決めポスト
【図１】
2006059821.tif 000003
【図２】
2006059821.tif 000004
【図３】
2006059821.tif 000005
【図４】
2006059821.tif 000006
【図５】
2006059821.tif 000007
【図６】
2006059821.tif 000008
【図７】
2006059821.tif 000009
【図８】
2006059821.tif 000010
【図９】
2006059821.tif 000011
【図１０】
2006059821.tif 000012
【図１１】
2006059821.tif 000013
【図１２】
2006059821.tif 000014
【図１３】
2006059821.tif 000015